(57)【特許請求の範囲】
【請求項１】
上部にステープルを打ち出す打出部と、下部に前記打出部に向けて上下往復動し上面にシート束を載置するためのテーブルとを備え、前記テーブルが上方に往動した際に前記打出部とで前記シート束を挟持するとともに、この挟持したシート束に向けて打出部からステープルを打ち出して、該シート束を貫通したステープルの先端部をクリンチするクリンチャを前記テーブルに設けた電動ステープラーにおいて、
前記テーブルに対して打出部と反対位置に前記ホトセンサを固定し、
前記テーブルの上面に下面まで貫通した貫通孔を設け、
前記ホトセンサの発光部から発する光を前記貫通孔を介してシート束に向けて照射させ、
そのシート束で反射された光を前記貫通孔を介して前記ホトセンサの受光部へ入射させて前記シート束を検知することを特徴とする電動ステープラー。
【請求項２】
前記貫通孔に光ファイバを設けたことを特徴とする請求項１の電動ステープラー。
【発明の詳細な説明】
【０００１】
【発明の属する技術分野】
この発明は、例えば複写機などに設ける電動ステープラーに関する。
【０００２】
【従来の技術】
従来から、ステープルを打ち出す打出部と、往復動するテーブルと、このテーブルに設けたクリンチャとを備えた電動ステープラーが知られている。この電動ステープラーは、テーブルが往動した際に前記打出部とでシート束を挟持するとともに、この挟持したシート束に向けて打出部からステープルを打ち出し、シート束を貫通したステープルの先端部をクリンチャがクリンチするものである。
【０００３】
このような電動ステープラーにあっては、テーブルにシート束を載置したことを検知するために、反射型のホトセンサをテーブルに設けている。
【０００４】
このホトセンサは、テーブルに載置されたシート束を検知したとき、テーブルを往動させるとともにドライバによって打出部からステープルを打ち出させていくものであり、ステープルの無駄な打ち出しを防止するものである。
【０００５】
【発明が解決しようとする課題】
しかしながら、ホトセンサがテーブルに設けられていることにより、テーブルが往復動する毎にホトセンサのリード線が伸びたり緩んだりする。このため、リード線が本体の角に当接しているとすり切れたりする問題がある。また、リード線に弛み部分を設けなければならず、この弛み部分を保護するためにプロテクタで覆わなければならず、大がかりなものになってしまうという問題もあった。
【０００６】
この発明は、上記事情に鑑みてなされたものであり、その目的は、ホトセンサのリード線が断線してしまう虞やリード線に弛み部分を設ける必要のない電動ステープラーを提供することにある。
【０００７】
【課題を解決するための手段】
上記目的を達成するため、請求項１の発明は、上部にステープルを打ち出す打出部と、下部に前記打出部に向けて上下往復動し上面にシート束を載置するためのテーブルとを備え、前記テーブルが上方に往動した際に前記打出部とで前記シート束を挟持するとともに、この挟持したシート束に向けて打出部からステープルを打ち出して、該シート束を貫通したステープルの先端部をクリンチするクリンチャを前記テーブルに設けた電動ステープラーにおいて、
前記テーブルに対して打出部と反対位置に前記ホトセンサを固定し、
前記テーブルの上面に下面まで貫通した貫通孔を設け、
前記ホトセンサの発光部から発する光を前記貫通孔を介してシート束に向けて照射させ、
そのシート束で反射された光を前記貫通孔を介して前記ホトセンサの受光部へ入射させて前記シート束を検知することを特徴とする。
【０００８】
請求項２の発明は、請求項１の電動ステープラーにおいて、前記貫通孔に光ファイバを設けたことを特徴とする。
【０００９】
【発明の実施の形態】
以下、この発明に係わる電動ステープラーの実施の形態を図面に基づいて説明する。
【００１０】
図１において、１０は複写機本体１１に取り付けられた後処理機部であり、この後処理機部１０内には、複写機本体１１からコピー面を下にして排紙されてきたコピー用紙を綴じる天地逆置型の電動ステープラー１２が設けられている。また、後処理機部１０の上面にも天地逆置型の電動ステープラー２０が設けられている。この電動ステープラー２０の本体４０（図２ないし図４参照）は、電動ステープラー１２の本体(図示せず)と全く同様な構造となっており、同一機種のものが使用されている。
【００１１】
電動ステープラー２０は、図２ないし図４に示すように、後処理機部１０の天板１３に固定されたベースプレート２１と、このベースプレート２１に回動可能に取り付けられたブラケット３０と、このブラケット３０に固定された電動ステープラー本体４０と、この電動ステープラー本体４０に着脱自在に装着されたカートリッジ６０（図７参照）とを備えている。
【００１２】
ベースプレート２１は、後処理機部１０の天板１３にネジＮ1により固定されたベース板部２２を有しており、このベース板部２２の両端から起立したプレート２３,２３が形成されている。このプレート２３は、ほぼコ字状に形成され、支柱板部２４と、この支柱板部２４の上部から前方（図２において左方）へ延びたアーム板部２５とを有している。
【００１３】
ブラケット３０は、電動ステープラー本体４０のケース４１の底壁部４１ＡにネジＮ2により固定された平板部３１を有しており、この平板部３１の両端には垂下した取付片３２,３２が形成されている。各取付片３２の下部３２Ａはベースプレート２１のアーム板部２５の先端部に軸３４によって軸支されており、この軸３４を中心にしてブラケット３０が回動可能となっている。
【００１４】
すなわち、電動ステープラー本体４０は、軸３４を中心にして回動可能にベースプレート２１に取り付けられているとともに、天地が逆になって取り付けられている。
【００１５】
そして、電動ステープラー本体４０は図２ないし図４に示す位置に図示しないストッパにより固定されるようになっており、この位置に電動ステープラー本体４０が固定されているとき、これをマイクロスイッチ３９が検知するようになっている。このマイクロスイッチ３９は、ベースプレート２１のアーム板部２５の内側に設けられていて、ブラケット３０の取付片３２の凹部３２Ａによりオンするようになっており、このオンにより、電動ステープラー本体４０の固定を検知するものである。
【００１６】
ブラケット３０にはアッパーカバー３５が取り付けられており、アッパーカバー３５の後部には手を引っかける凹部３５Ａが形成されている。３６はシート束Ｔを載置する載置台、３７は載置台３６の上方に取り付けられたカバーであり、このカバー３７は図示しない支持部を介して載置台３６に固定されている。
【００１７】
電動ステープラー本体４０には、カートリッジ６０に積層収納された図示しないシートステープルを打出部４０Ａへ送り出していく送り機構(図示せず)と、往復動して打出部４０Ａからステープルを打ち出していくドライバ(図示せず)と、打ち出されたステープルの先端部をクリンチするクリンチャ(図示せず)を備えたテーブル４２等とが設けられている。
【００１８】
電動ステープラー本体４０は天地が逆になってベースプレート２１に取り付けられていることにより、カートリッジ６０がそのテーブル４２より上側に位置し、下側のテーブル４２にステープルは上から打ち出される。
【００１９】
テーブル４２は、リンク部材４３が軸４４を中心にして回動することにより上下動するようになっている。リンク部材４３の上部にはローラ４５が設けられ、このローラ４５には図示しないカムが当接しており、このカムが回動することによりリンク部材４３が軸４４を中心にして回動するようになっている。
【００２０】
テーブル４２の上面には、図５に示すように、シート束Ｔを貫通したステープルの先端部が入り込む開口４６が形成され、この開口４６の下方にステープルの先端部をクリンチするクリンチャ(図示せず)が設けられている。また、テーブル４２の上面の開口４６の後ろには凹部４７が形成され、この凹部４７の底部４７Ａには２つの貫通孔４８,４８が形成され、この貫通孔４８,４８には光ファイバ４９Ａ,４９Ｂが配設されている。
【００２１】
テーブル４２の下方には、テーブル４２上にシート束Ｔがあるか否かを検知するホトセンサ５０が設けられている。このホトセンサ５０は、発光ダイオード（発光部）５１と受光ダイオード（受光部）５２とを備えており、発光ダイオード５１は光ファイバ４９Ａの下端に対向し、受光ダイオード５２は光ファイバ４９Ｂの下端に対向している。ホトセンサ５０は、電動ステープラー本体４０のケース４１の天板４１Ｂの前端から前方へ突出して形成された支持板５４に取り付けられている。
【００２２】
支持板５４には、図６に示すようにシート束Ｔをガイドするガイドピン５５,５５が立設され、このガイドピン５５,５５はテーブル４２の貫通孔４８,４８を挟む位置に且つその貫通孔４８,４８の後端部の接線Ｍ上にガイドピン５５,５５の前端部が接する位置に位置している。そして、シート束Ｔを一点鎖線や二点鎖線で示すようにガイドピン５５,５５に当接させると、貫通孔４８,４８の光ファイバ４９Ａ,４９Ｂの上面がシート束Ｔの面に対向するようになっている。
【００２３】
次に、上記のように構成される電動ステープラーの動作を説明する。
【００２４】
複写機本体１１でコピーされたコピー用紙はコピー面を下側にして後処理機部１０に排紙されてくる。排紙された全てのコピー用紙を綴じる場合には、従来と同様にして電動ステープラー１２によって綴じられて、排紙トレイ１４に排出されていくことになる。
【００２５】
排紙された全てのコピー用紙を綴じない場合には、コピーされたコピー用紙はコピー面を下側にして排紙トレイ１４に排出される。
【００２６】
排紙トレイ１４に排紙されたコピー用紙の内、所望のコピー用紙だけを綴じる場合には、その所望のコピー用紙のシート束Ｔをコピー面を上にして載置台３６に載置して図６（Ｂ）の一点鎖線または二点鎖線で示すようにガイドピン５５,５５に当接させる。
【００２７】
他方、ホトセンサ５０の発光ダイオード５１が発光しており、この光がテーブル４２の光ファイバ４９Ａを通って光ファイバ４９Ａの上端から上方へ射出されている。この光ファイバ４９Ａの上端から射出された光はシート束Ｔで反射されて、テーブル４２の光ファイバ４９Ｂへ入射する。光ファイバ４９Ｂへ入射した光は光ファイバ４９Ｂの下端から射出されて、ホトセンサ５０の受光ダイオード５２によって受光される。
【００２８】
受光ダイオード５２が受光すると、マイクロスイッチ３９がオンしていることを条件に図示しない制御回路がシート束Ｔが正しく載置台３６に載置されたと判断してモータ(図示せず)を駆動する。このモータの駆動によりテーブル４２が上昇していく。この上昇によりテーブル４２と本体４０の打出部４０Ａとでシート束Ｔを挟持し、この後、ステープルが打出部４０Ａから打ち出されて、ステープルの先端部がシート束Ｔを貫通し、その先端部がテーブル４２に設けたクリンチャによりクリンチされ、シート束Ｔがステープルによって綴じられる。この後、テーブル４２が下降してホームポジションへ戻る。
【００２９】
カートリッジ６０を交換するには、アッパーカバー３５の凹部３５Ａに手を引っかけて、アッパーカバー３５とともに図７に示すように電動ステープラー本体４０を反時計方向へ回動させて、電動ステープラー本体４０を裏返した状態にする。この裏返しにより、電動ステープラー本体４０は正しい天地の状態となる。
【００３０】
また、電動ステープラー本体４０が図７に示す位置へ回動されると、図示しないストッパによりその位置に固定される。そして、カートリッジ６０を斜め上方へ引き抜き、新しいカートリッジ６０を上から斜め下方へ本体４０へ挿入していけば、カートリッジ６０は本体４０に装着される。
【００３１】
このように、カートリッジ６０を上から斜め下方へ本体４０へ挿入していけばよいので、カートリッジ６０の装着は簡単に行える。
【００３２】
電動ステープラー本体４０が裏返された状態では、マイクロスイッチ３９はオフとなっているので、誤って電動ステープラー本体４０が駆動してしまうことが防止される。
【００３３】
カートリッジ６０の装着が終了したら、上記と逆に時計方向へアッパーカバー３５とともに電動ステープラー本体４０を回動させて図２ないし図４に示す位置まで回動させる。
【００３４】
上述のように、天地逆置型の電動ステープラー２０であっても、コピー面を上にしてシート束Ｔを綴じることができ、しかも、電動ステープラー本体４０を裏返すことによりカートリッジ６０の装着も簡単に行える。さらに、電動ステープラー本体４０と電動ステープラー１２の本体も同一機種のものを使用しているので、コストの低減を図ることができるとともに、カートリッジが同じであることによりステープルが同一なものとなり、しかも、ステープルの綴じ方も同一となるので、電動ステープラー１２で綴じたシート束と、電動ステープラー２０で綴じたシート束との見栄えが同じとなり、体裁のよいものとなる。
【００３５】
また、ホトセンサ５０は、電動ステープラー本体４０の天板４１Ｂの支持板５４に取り付けられているので、テーブル４２の上下動にともなってホトセンサ５０のリード線Ｗが伸びたり弛んだりすることがない。このため、そのリード線Ｗがこすれて切断してしまうという問題は発生しない。また、リード線Ｗに弛み部分を設ける必要もない。
【００３６】
さらに、テーブル４２の光ファイバ４９Ａを介してシート束Ｔに向けて光りを射出しているので、ホトセンサ５０の発光ダイオード５１から発光された光を弱めることなくシート束Ｔに照射させることができる。また、シート束Ｔで反射した光をテーブル４２の光ファイバ４９Ｂを介してホトセンサ５０の受光ダイオード５２が受光するようにしたものであるから、シート束Ｔで反射した光を弱めることなく受光することができる。このため、ホトセンサ５０とシート束Ｔとの間の距離が大きく離れていてもシート束Ｔの検知を確実に行うことができる。
【００３７】
上記実施形態では、２本の光ファイバ４９Ａ,４９Ｂをテーブル４２に設けているが、光ファイバの径を大きいなものを使用すれば一本の光ファイバであってもよい。また、ホトセンサ５０の発光ダイオード５１の発光量が大きく、しかもシート束Ｔの反射率が高ければ光ファイバ４９Ａ,４９Ｂを省略してもよい。
【００３８】
【発明の効果】
以上説明したように、この発明によれば、ホトセンサのリード線が断線してしまうことがなく、しかもリード線に弛み部分を設ける必要もない。
【図面の簡単な説明】
【図１】この発明に係わる電動ステープラーを複写機の後処理機部に設けた状態を示した説明図である。
【図２】後処理機部の上面に設けた電動ステープラーの本体とベースプレートとの関係を示した説明図である。
【図３】図２の電動ステープラー本体を示した説明図である。
【図４】  電動ステープラー本体を示した正面図である。
【図５】  テーブルを示した斜視図である。
【図６】（Ａ）シート束とテーブルとホトセンサとの位置関係を示した側面図である。（Ｂ）シート束とテーブルとホトセンサとの位置関係を示した平面図である。
【図７】電動ステープラー本体を裏返した状態を示した説明図である。
【符号の説明】
４２    テーブル
４８    貫通孔
４９Ａ  光ファイバ
４９Ｂ  光ファイバ
５０    ホトセンサ
５１    発光ダイオード（発光部）
５２    受光ダイオード（受光部）
【図１】
0004296679.tif 000002
【図２】
0004296679.tif 000003
【図３】
0004296679.tif 000004
【図４】
0004296679.tif 000005
【図５】
0004296679.tif 000006
【図６】
0004296679.tif 000007
【図７】
0004296679.tif 000008